【手続補正書】
【提出日】平成17年9月20日(2005.9.20)
【手続補正１】
【補正対象書類名】特許請求の範囲
【補正対象項目名】全文
【補正方法】変更
【補正の内容】
【特許請求の範囲】
【請求項１】
他のアクセスポイントとの間で通信を行う通信手段と、
前記通信手段を介して取得されたページングエリア識別子を記憶する記憶手段と、
前記記憶手段に記憶されたページングエリア識別子と同じページングエリア識別子を記憶する他のアクセスポイントと連携して無線通信機能を有するコンピュータ装置の一斉呼出を行う無線通信手段と
を備える
ことを特徴とするアクセスポイント。
【請求項２】
他のアクセスポイントを制御する制御手段および他のアクセスポイントの制御に従った処理を行う被制御手段を備え、
前記記憶手段は前記通信手段を介して取得されたマスタおよびスレーブの少なくとも一方を示すデータを記憶し、
前記制御手段は前記記憶手段にマスタを示すデータが記憶されている場合、前記通信手段を介して他のアクセスポイントを制御し、前記被制御手段は前記記憶手段にスレーブを示すデータが記憶されている場合、他のアクセスポイントによる前記通信手段を介した制御に従った処理を行う
ことを特徴とする請求項１に記載のアクセスポイント。
【請求項３】
前記被制御手段は、制御手段を備える１のアクセスポイントの制御に従った処理を行い、当該１のアクセスポイント以外のアクセスポイントの制御に従った処理は行わない
ことを特徴とする請求項２に記載のアクセスポイント。
【請求項４】
前記記憶手段は、前記制御手段が制御する他のアクセスポイントの識別子を記憶する
ことを特徴とする請求項２に記載のアクセスポイント。
【請求項５】
前記通信手段は、
他のアクセスポイントの制御手段が制御するアクセスポイントの識別子として自機の識別子を記憶することを、当該他のアクセスポイントに対し要求する機能と、
他のアクセスポイントから、自機の制御手段が制御するアクセスポイントの識別子として当該他のアクセスポイントの識別子を記憶することの要求を受け取る機能と、
他のアクセスポイントの制御手段が制御するアクセスポイントの識別子として記憶している識別子から自機の識別子を削除することを、当該他のアクセスポイントに対し要求する機能と、
他のアクセスポイントから、自機の制御手段が制御するアクセスポイントの識別子として記憶している識別子から当該他のアクセスポイントの識別子を削除することの要求を受け取る機能と、
他のアクセスポイントの記憶するページングエリア識別子を、自機が記憶するページングエリア識別子に変更することを、当該他のアクセスポイントに対し要求する機能と、
他のアクセスポイントから、自機の記憶するページングエリア識別子を当該他のアクセスポイントが記憶するページングエリア識別子に変更することの要求を受け取る機能と、
他のアクセスポイントの記憶するページングエリア識別子を、自機が記憶するページングエリア識別子と異なるページングエリア識別子に変更することを、当該他のアクセスポイントに対し要求する機能と、
他のアクセスポイントから、自機の記憶するページングエリア識別子を当該他のアクセスポイントが記憶するページングエリア識別子と異なるページングエリア識別子に変更することの要求を受け取る機能と、
他のアクセスポイントの記憶するマスタおよびスレーブの少なくとも一方を示すデータの変更を、当該他のアクセスポイントに対し要求する機能と、
他のアクセスポイントから、自機の記憶するマスタおよびスレーブの少なくとも一方を示すデータを変更することの要求を受け取る機能と
を備える
ことを特徴とする請求項４に記載のアクセスポイント。
【請求項６】
前記通信手段は、ＩＥＥＥ（Institute of Electrical and Electronic Engineers）において規定されたアクセスポイント間プロトコルに従い、他のアクセスポイントとの間で通信を行う機能を有する
ことを特徴とする請求項１に記載のアクセスポイント。
【請求項７】
前記無線通信手段は、
無線通信機能を有するコンピュータ装置との間で、前記一斉呼出において通信するデータとは異なる実データの通信を行う機能を有し、
前記一斉呼出における通信と前記実データの通信の両方を、他のアクセスポイントが一斉呼出における通信および実データの通信において用いる通信チャンネルと同じ通信チャンネルを用いて行う
ことを特徴とする請求項１に記載のアクセスポイント。
【請求項８】
前記無線通信手段は、
無線通信機能を有するコンピュータ装置との間で、前記一斉呼出において通信するデータとは異なる実データの通信を行う機能を有し、
前記一斉呼出における通信を、他のアクセスポイントが一斉呼出における通信において用いる通信チャンネルと同じ通信チャンネルを用いて行い、
前記実データの通信を、他のアクセスポイントが実データの通信において用いる通信チャンネルと同じ通信チャンネルであり、かつ前記一斉呼出における通信において用いる通信チャンネルとは異なる通信チャンネルを用いて行う
ことを特徴とする請求項１に記載のアクセスポイント。
【請求項９】
前記無線通信手段は、前記一斉呼出における通信を、
前記記憶手段に記憶しているページングエリア識別子と同じページングエリア識別子を記憶している他のアクセスポイントが一斉呼出において用いる通信チャンネルと同じ通信チャンネルであって、
自機もしくは前記記憶手段に記憶しているページングエリア識別子と同じページングエリア識別子を記憶している他のアクセスポイントのいずれかに地理的に隣接して配置されているアクセスポイントであって、前記記憶手段に記憶しているページングエリア識別子と異なるページングエリア識別子を記憶しているアクセスポイントが一斉呼出において用いる通信チャンネルと異なる通信チャンネル
を用いて行う
ことを特徴とする請求項１に記載のアクセスポイント。
【請求項１０】
前記無線通信手段は、
無線通信機能を有するコンピュータ装置との間で、前記一斉呼出において通信するデータとは異なる実データの通信を行う機能を有し、
前記一斉呼出における通信を、前記実データの通信において用いる通信チャンネルと異なる通信チャンネルを用いて行う
ことを特徴とする請求項９に記載のアクセスポイント。
【請求項１１】
前記記憶手段は前記通信手段を介して取得されたマスタおよびスレーブの少なくとも一方を示すデータを記憶し、
前記通信手段は、前記記憶手段にマスタを示すデータのみが記憶されている場合、前記一斉呼出における通信に用いる通信チャンネルを他のアクセスポイントに通知し、前記記憶手段にスレーブを示すデータが記憶されている場合、他のアクセスポイントから前記一斉呼出における通信に用いる通信チャンネルの通知を受ける
ことを特徴とする請求項９に記載のアクセスポイント。
【請求項１２】
前記無線通信手段は、将来に送信されるビーコンの送信タイミングを示すビーコンタイミングデータを含むビーコンを所定の時間間隔で送信する
ことを特徴とする請求項１に記載のアクセスポイント。
【請求項１３】
前記無線通信手段は、
所定の時間間隔でビーコンを送信し、
無線通信機能を有するコンピュータ装置からビーコンの送信タイミングの差分を示すデータを受信し、
前記差分を示すデータに基づき前記所定の時間間隔を調整する
ことを特徴とする請求項１に記載のアクセスポイント。
【請求項１４】
前記無線通信手段は、
所定の時間間隔でビーコンを送信し、
無線通信機能を有するコンピュータ装置から、ビーコンの送信タイミングの差分を示すデータおよび他のアクセスポイントの識別子を受信し、
前記通信手段は、
前記無線通信手段により受信した前記他のアクセスポイントの識別子に基づき前記他のアクセスポイントに対し、前記無線通信手段により受信した前記差分を示すデータに基づき前記他のアクセスポイントがビーコンを送信する時間間隔を調整することの要求を送信する
ことを特徴とする請求項１に記載のアクセスポイント。
【請求項１５】
前記無線通信手段は、所定の時間間隔でビーコンを送信し、無線通信機能を有するコンピュータ装置からビーコンの送信タイミングの差分を示すデータおよび他のアクセスポイントの識別子を受信し、
前記無線通信手段により受信した前記他のアクセスポイントの識別子が、前記記憶手段により前記制御手段が制御するアクセスポイントの識別子に含まれる場合、前記通信手段は前記他のアクセスポイントの識別子に基づき前記他のアクセスポイントに対し、前記無線通信手段により受信した前記差分を示すデータに基づき前記他のアクセスポイントがビーコンを送信する時間間隔を調整することの要求を送信し、
前記無線通信手段により受信した前記他のアクセスポイントの識別子が、前記記憶手段により前記制御手段が制御するアクセスポイントの識別子に含まれない場合、前記通信手段は通信可能ないずれかのアクセスポイントに前記他のアクセスポイントの識別子を送信し、当該識別子の送信に対する応答を受信し、前記応答が前記他のアクセスポイントが自機を制御するアクセスポイントであることを示すデータである場合、前記無線通信手段は前記差分を示すデータに基づき前記所定の時間間隔を調整し、前記応答が前記時間間隔を調整することの要求である場合、前記無線通信手段は当該要求に従い前記所定の時間間隔を調整する
ことを特徴とする請求項４に記載のアクセスポイント。
【請求項１６】
前記無線通信手段は、前記所定の時間間隔の調整を行った場合、当該調整を、無線通信機能を有するコンピュータ装置に通知する
ことを特徴とする請求項１３および１５のいずれかに記載のアクセスポイント。
【請求項１７】
前記無線通信手段は、前記記憶手段に記憶されたページングエリア識別子をブロードキャストする
ことを特徴とする請求項１に記載のアクセスポイント。
【請求項１８】
前記無線通信手段は、前記記憶手段に記憶されたページングエリア識別子を含むビーコンを送信することにより前記ブロードキャストを行う
ことを特徴とする請求項１７に記載のアクセスポイント。
【請求項１９】
前記無線通信手段は、無線通信機能を有するコンピュータ装置から接続要求を受信し、当該接続要求に対する応答として当該コンピュータ装置に対し接続識別子を通知する
ことを特徴とする請求項１に記載のアクセスポイント。
【請求項２０】
前記記憶手段は前記通信手段を介して取得されたマスタおよびスレーブの少なくとも一方を示すデータを記憶し、
前記通信手段は、前記記憶手段にスレーブを示すデータが記憶されている場合、通信可能な他のアクセスポイントに前記接続要求を送信し、当該送信に対する応答として接続識別子を受信し、当該受信した接続識別子を前記接続要求の送信元であるコンピュータ装置に対し送信する
ことを特徴とする請求項１９に記載のアクセスポイント。
【請求項２１】
前記記憶手段は前記通信手段を介して取得されたマスタおよびスレーブの少なくとも一方を示すデータを記憶し、
前記通信手段は、前記記憶手段にマスタを示すデータのみが記憶されている場合、他のアクセスポイントからコンピュータ装置の接続要求を受信し、当該他のアクセスポイントに対し、当該送信に対する応答として接続識別子を送信する
ことを特徴とする請求項１に記載のアクセスポイント。
【請求項２２】
前記通信手段もしくは前記無線通信手段は、前記コンピュータ装置を送信先とするデータを受信し、
前記記憶手段は、前記コンピュータ装置を送信先とするデータを一時的に記憶し、
前記無線通信手段は、前記記憶手段により前記コンピュータ装置を送信先とするデータが一時的に記憶された場合、他のアクセスポイントと連携して前記コンピュータ装置の一斉呼出を行い、
前記無線通信手段が前記コンピュータ装置から前記一斉呼出に対する応答を受信した場合には、前記無線通信手段は前記記憶手段により一時的に記憶されたデータを前記コンピュータ装置に送信し、
前記通信手段がいずれかのアクセスポイントから、前記一斉呼出に対する前記コンピュータ装置からの応答の受信通知を受信した場合には、前記通信手段は前記記憶手段により一時的に記憶されたデータを当該アクセスポイントに送信する
ことを特徴とする請求項１に記載のアクセスポイント。
【請求項２３】
第１のアクセスポイントから所定の時間間隔で送信されるビーコンと第２のアクセスポイントから所定の時間間隔で送信されるビーコンを受信する無線通信手段と、
前記無線通信手段により受信された、第１のアクセスポイントから送信されるビーコンの送信タイミングと、第２のアクセスポイントから送信されるビーコンの送信タイミングとの差分を示すデータを生成する差分算出手段と
を備え、
前記無線通信手段は、前記第１のアクセスポイントおよび前記第２のアクセスポイントの少なくともいずれか一方に、前記差分算出手段により生成された差分を示すデータを送信する
ことを特徴とするコンピュータ装置。
【請求項２４】
前記無線通信手段は将来に送信されるビーコンの送信タイミングを示すビーコンタイミングデータを含むビーコンを受信し、
前記差分算出手段は、前記無線通信手段により受信されたビーコンに含まれるビーコンタイミングデータに基づき前記差分を示すデータを生成する
ことを特徴とする請求項２３に記載のコンピュータ装置。
【請求項２５】
前記無線通信手段は、前記第１のアクセスポイントに前記差分算出手段により生成された差分を示すデータを送信する場合、前記第１のアクセスポイントに前記第２のアクセスポイントの識別子を送信し、前記第２のアクセスポイントに前記差分算出手段により生成された差分を示すデータを送信する場合、前記第２のアクセスポイントに前記第１のアクセスポイントの識別子を送信する
ことを特徴とする請求項２３に記載のコンピュータ装置。
【請求項２６】
前記無線通信手段は、前記第１のアクセスポイントおよび前記第２のアクセスポイントのうちのいずれかのアクセスポイントから、当該いずれかのアクセスポイントに関し前記所定の時間間隔について行われた調整の通知を受信し、当該受信した通知を当該いずれかのアクセスポイント以外のアクセスポイントに送信する
ことを特徴とする請求項２３に記載のコンピュータ装置。
【請求項２７】
アクセスポイントから所定の時間間隔で送信されるビーコンを受信する無線通信手段と、
前記無線通信手段により受信されたビーコンの受信タイミングに基づき、前記アクセスポイントから将来に送信されるビーコンの送信タイミングを予測するタイミング予測手段と、
ビーコンを受信可能な状態であるアクティブモードと、ビーコンを受信不可能な状態である休止モードとを切り替えるモード切替手段と
を備え、
前記切替手段は、前記タイミング予測手段により予測されたビーコンの送信タイミングにおいて前記アクティブモードであるように、前記休止モードから前記アクティブモードへの切り替えを行う
ことを特徴とするコンピュータ装置。
【請求項２８】
前記無線通信手段は、前記アクセスポイントから前記所定の時間間隔について行われた調整の通知を受信し、
前記タイミング予測手段は、前記無線通信手段により受信された前記通知に基づき、前記アクセスポイントから将来に送信されるビーコンの送信タイミングを予測する
ことを特徴とする請求項２７に記載のコンピュータ装置。
【請求項２９】
アクセスポイントからページングエリア識別子を受信する無線通信手段と、
前記無線通信手段により過去に受信されたページングエリア識別子のうち所定の条件を満たすものを記憶する記憶手段と
を備え、
前記無線通信手段は、前記記憶手段に記憶されているページングエリア識別子と異なるページングエリア識別子であって前記所定の条件を満たすものを新たに受信した場合、前記記憶手段に記憶されているページングエリア識別子を新たに受信したページングエリア識別子で更新させるとともに、通信可能なアクセスポイントに接続要求を送信し、当該接続要求に対する応答として当該アクセスポイントから送信される接続識別子を受信し、当該接続識別子の受信後は当該接続識別子を用いてアクセスポイントとの間の通信を行う
ことを特徴とするコンピュータ装置。
【請求項３０】
前記無線通信手段は、同時に互いに異なる２以上のページングエリア識別子を受信した場合、当該２以上のページングエリア識別子のうち受信時の電波強度が最大のものを、前記所定の条件を満たすページングエリア識別子として前記記憶手段に記憶させる
ことを特徴とする請求項２９に記載のコンピュータ装置。